(57)【特許請求の範囲】
【請求項１】
回転により開閉器の主回路が入になる主軸と、
前記主軸に固着された主軸レバーと、
前記主軸に回転自在に支持され，連結リンクにより前記主軸レバーに連結された蓄勢レバーと、
蓄勢操作軸に固着され，回転により前記蓄勢レバーを回転して操作ばねを蓄勢し，前記蓄勢レバーを蓄勢完了位置に移動する蓄勢カムと、
入準備位置の前記主軸レバーを係止し，回転による係止解除により前記主軸レバーを入方向に回転し，前記主回路を入にする入操作部と、
前記蓄勢完了位置の前記蓄勢レバーを係止し，回転による係止解除により前記蓄勢レバーを前記操作ばねの放勢方向に回転し，前記連結リンクを介して前記主軸レバーを切方向に回転し，前記主回路を切にする切操作部と、
回転により接地開閉器が入になる接地開閉器軸と、
前記接地開閉器軸に固着された接地レバーと
を有する開閉器のインターロック装置において、
前記蓄勢レバーに突設された蓄勢ピンと、
前記接地レバーに突設された接地ピンと、
前記主軸に回転自在に支持されたシャッタ板と、
前記シャッタ板に形成され，前記シャッタ板の回転中心を中心とし，前記回転中心と前記蓄勢ピンとの間の長さを半径とし，前記蓄勢ピンが挿入された円弧の長孔と、
前記長孔に連通し，前記接地開閉器軸と前記接地ピンとの間の長さを半径とした円弧の分岐孔と、
前記シャッタ板に形成されたハンドル挿入口と
を備え、
前記蓄勢レバーが前記蓄勢完了位置にある時、前記蓄勢ピンが前記長孔の上端に当接し、前記ハンドル挿入口を前記接地開閉器軸を操作できる位置まで移動する前記シャッタ板の回転を阻止し、
前記シャッタ板を回転して前記ハンドル挿入口を前記蓄勢操作軸を操作できる位置に移動し、前記操作ばねを蓄勢中は、前記シャッタ板が前記入操作部及び前記切操作部を覆って前記両操作部の操作を阻止し、
前記シャッタ板を回転して前記ハンドル挿入口を前記接地開閉器軸を操作できる位置に移動し、前記接地開閉器を入にした時、前記接地ピンが前記分岐孔の先端に当接し、前記蓄勢操作軸が前記シャッタ板により覆われたままで、前記ハンドル挿入口を前記蓄勢操作軸を操作できる位置まで移動する前記シャッタ板の回転を阻止するようにしたことを特徴とする開閉器のインターロック装置。
【発明の詳細な説明】
【０００１】
【発明の属する技術分野】
本発明は、例えば屋内用負荷開閉器等、ばね蓄勢操作形の開閉器のインターロック装置に関し、さらに詳しくは、シャッタ板により種々のインターロックを形成するものである。
【０００２】
【従来の技術】
従来、図７に示すように、負荷開閉器ＬＢＳに接地開閉器ＥＳが設けられており、その操作機構は図８に示すようになっている。
【０００３】
同図は操作ばねが蓄勢された蓄勢完了状態を示し、１は主軸であり、時計方向の回転により負荷開閉器の主回路が入になる。２は主軸１に固着された主軸レバー、３は主軸１に回転自在に支持された蓄勢レバー、４，５は蓄勢レバー３に設けられたガイドピン及びころである。
【０００４】
６は一端が主軸レバー２に連結された主軸側リンク、７は一端がガイドピン４に連結された蓄勢側リンク、８は一端が主軸レバー２に連結された連結リンク、９は連結リンク８の他端部に形成された長孔であり、ガイドピン４が挿入されている。１０は第１操作ばねであり、主軸側リンク６，蓄勢側リンク７の他端を左方へ即ち、主軸レバー２を入の時計方向に、蓄勢レバー３をばね１０の放勢方向の反時計方向へ付勢している。１１は第２操作ばねであり、蓄勢レバー３を放勢の反時計方向に付勢している。
【０００５】
１２は入操作部であり、切状態、即ち反時計方向に回転した入準備位置の主軸レバー２を係止する。１３は切操作部であり、時計方向に回転した蓄勢完了位置の蓄勢レバー３を係止し、両係止部１２，１３は端部が半円状のラッチピンからなり、入操作部１２は反時計方向に、切操作部１３は時計方向に付勢され、図示の状態で静止している。
【０００６】
１４は蓄勢操作軸１５に固着された蓄勢カムであり、蓄勢時、反時計方向に回転し、放勢した蓄勢レバー３のころ５に摺接し、蓄勢レバー３を蓄勢の時計方向に回転し、両操作ばね１０，１１を蓄勢する。
【０００７】
１６は接地開閉器軸１７に固着された接地レバーであり、入の時計方向の回転により接地開閉器が入になる。
【０００８】
つぎに動作について説明する。図８の蓄勢完了状態において、主軸レバー２が入操作部１２に係止し、蓄勢レバー３が切操作部１３に係止し、両操作ばね１０，１１が圧縮されて蓄勢され、第１操作ばね１０が主軸側リンク６，蓄勢側リンク７を介して主軸レバー２を入の時計方向に付勢し、蓄勢レバー３を切の反時計方向に付勢し、かつ、第２操作ばね１１が蓄勢レバー３をさらに反時計方向に付勢している。
【０００９】
そして、入指令により入操作部１２が若干時計方向に回転して係止が解除されると、第１操作ばね１０により、主軸側リンク６を介して主軸レバー２が入の時計方向に回転し、主軸１が入状態になる。
【００１０】
このとき、連結リンク８が下方へ移動し、連結リンク８の長孔９の上端にガイドピン４が当接し、主軸レバー２の回転位置が規制される。
【００１１】
つぎに切指令により切操作部１３が若干反時計方向に回転して係止が解除されると、両操作ばね１０，１１により蓄勢レバー３が放勢の反時計方向に回転する。
【００１２】
このとき、蓄勢レバー３の反時計方向の回転により、ガイドピン４，連結リンク８を介して主軸レバー２が切の反時計方向に回転し、主軸レバー２の先端部が、入操作部１２を若干時計方向に回転したのち入操作部１２に係止し、主軸１が切の状態になる。
【００１３】
つぎに、蓄勢操作軸１５とともに蓄勢カム１４が反時計方向に回転すると、蓄勢カム１４がころ５を介して蓄勢レバー３を蓄勢の時計方向に回転し、両操作ばね１０，１１を蓄勢し、蓄勢レバー３の先端部が切操作部１３を若干反時計方向に回転したのち切操作部１３に係止し、図８の蓄勢完了状態になる。
一方、接地開閉器軸１７の回転により接地開閉器が入，切する。
【００１４】
【発明が解決しようとする課題】
従来の前記操作機構の場合、操作ばねの蓄勢完了状態において接地開閉器の操作を防止し、また、操作ばねの蓄勢中において主回路の入，切を防止し、さらに、接地開閉器が入の状態において蓄勢操作軸の操作を防止することについては何ら考慮がされず、不慮の事故を起こすという問題点がある。
【００１５】
本発明は、前記点に留意し、簡単な構成により事故の発生を防止するようにした開閉器のインターロック装置を提供することを目的とする。
【００１６】
【課題を解決するための手段】
前記課題を解決するために、本発明の開閉器のインターロック装置は、回転により開閉器の主回路が入になる主軸と、前記主軸に固着された主軸レバーと、前記主軸に回転自在に支持され，連結リンクにより前記主軸レバーに連結された蓄勢レバーと、蓄勢操作軸に固着され，回転により前記蓄勢レバーを回転して操作ばねを蓄勢し，前記蓄勢レバーを蓄勢完了位置に移動する蓄勢カムと、
入準備位置の前記主軸レバーを係止し，回転による係止解除により前記主軸レバーを入方向に回転し，前記主回路を入にする入操作部と、前記蓄勢完了位置の前記蓄勢レバーを係止し，回転による係止解除により前記蓄勢レバーを前記操作ばねの放勢方向に回転し，前記連結リンクを介して前記主軸レバーを切方向に回転し，前記主回路を切にする切操作部と、回転により接地開閉器が入になる接地開閉器軸と、前記接地開閉器軸に固着された接地レバーとを有し、
前記蓄勢レバーに突設された蓄勢ピンと、前記接地レバーに突設された接地ピンと、前記主軸に回転自在に支持されたシャッタ板と、前記シャッタ板に形成され，前記シャッタ板の回転中心を中心とし，前記回転中心と前記蓄勢ピンとの間の長さを半径とし，前記蓄勢ピンが挿入された円弧の長孔と、前記長孔に連通し，前記接地開閉器軸と前記接地ピンとの間の長さを半径とした円弧の分岐孔と、前記シャッタ板に形成されたハンドル挿入口とを備え、
前記蓄勢レバーが前記蓄勢完了位置にある時、前記蓄勢ピンが前記長孔の上端に当接し、前記ハンドル挿入口を前記接地開閉器軸を操作できる位置まで移動する前記シャッタ板の回転を阻止し、
前記シャッタ板を回転して前記ハンドル挿入口を前記蓄勢操作軸を操作できる位置に移動し、前記操作ばねを蓄勢中は、前記シャッタ板が前記入操作部及び前記切操作部を覆って前記両操作部の操作を阻止し、
前記シャッタ板を回転して前記ハンドル挿入口を前記接地開閉器軸を操作できる位置に移動し、前記接地開閉器を入にした時、前記接地ピンが前記分岐孔の先端に当接し、前記蓄勢操作軸が前記シャッタ板により覆われたままで、前記ハンドル挿入口を前記蓄勢操作軸を操作できる位置まで移動する前記シャッタ板の回転を阻止するようにしたものである。
【００１７】
従って、シャッタ板の移動により、操作ばねが蓄勢された蓄勢完了状態では、接地開閉器の入，切の操作が防止され、また、操作ばねを蓄勢中は、主回路の入，切の操作が防止され、さらに、操作ばねが放勢され、接地開閉器が入の時は、操作ばねの蓄勢操作が防止され、事故の発生を防止することができ、しかも構成が主としてシャッタ板のみであり、部品点数が少なく、構成が簡単であり、小スペースにすることができ、安価にすることができる。
【００１８】
【発明実施の形態】
発明の実施の形態を、図１ないし図６を参照して説明する。それらの図において、図８と同一符号は同一もしくは相当するものを示し、図８の両操作ばね１０，１１，各リンク６，７，８をはじめガイドピン４，ころ５などが省略されており、図８の構成につぎの構成が付加されている。
【００１９】
１８は蓄勢レバー３に突設された蓄勢ピン、１９は接地レバー１６に突設された接地ピン、２０は主軸１に回転自在に支持されたシャッタ板、２１はシャッタ板２０に形成された長孔であり、シャッタ板２０の回転中心を中心とし、その回転中心，即ち主軸１の中心と蓄勢ピン１８との間の長さを半径とした円弧であり、蓄勢ピン１８が挿入されている。
【００２０】
２２は長孔２１に連通した分岐孔であり、接地操作軸１７と接地ピン１９との間の長さを半径とした円弧であり、接地ピン１９が分岐孔２２と長孔２１に移動自在になっている。２３はシャッタ板２０の分岐孔２２の上側に形成されたハンドル挿入口であり、カム操作軸１５，接地開閉器軸１７の操作時に、ハンドル挿入口２３からハンドルを挿入して操作する。２４はシャッタ板２０に突設された把手である。
【００２１】
２５は入操作部１２を覆うシャッタ板２０の下側右部の入覆蔽部、２６は切操作部１３を覆うシャッタ板２０の上部の切覆蔽部、２７は蓄勢操作軸１５を覆うシャッタ板２０の左側の蓄勢覆蔽部、２８は接地開閉器軸１７を覆うシャッタ板２０の下側左部の接地覆蔽部である。
【００２２】
つぎに、前記シャッタ板２０の作用について説明する。図１の蓄勢レバー３が蓄勢完了位置にある時、蓄勢ピン１８が長孔２１の上端に当接しているため、シャッタ板２０を反時計方向に回転できず、ハンドル挿入口２３を接地開閉器軸１７を操作できる位置まで移動できず、接地開閉器軸１７の操作が防止される。なお、この時、接地開閉器軸１７が分岐孔２２に位置しているが、この分岐孔２２からはハンドルを挿入できない。
【００２３】
そして、入操作部１２が回転して主軸レバー２の係止が解除されると、図８で説明したように、主軸レバー２が時計方向に回転し、主軸１が入になり、図２に示す状態になる。
【００２４】
つぎに、切操作部１３が回転して蓄勢レバー３の係止が解除されると、蓄勢レバー３が反時計方向に回転し、連結リンクを介して主軸レバー２が半時計方向に回転し、主軸１が切になり、図３に示す状態になり、主軸レバー２が入操作部１２に係止する。
【００２５】
つぎに、操作ばねを蓄勢する場合、把手２４によりシャッタ板２０を時計方向に回転し、ハンドル挿入口２３を図４に示すように、蓄勢操作軸１５の上方に位置させ、蓄勢操作軸１５にハンドルを挿入して回転し、蓄勢カム１４により蓄勢レバー３を２点鎖線の位置から時計方向に回転し、操作ばねを蓄勢し、蓄勢完了位置で実線に示すように、蓄勢レバー３を切操作部１３に係止する。
【００２６】
この図４に示す蓄勢ばねの蓄勢中は、入覆蔽部２５が入操作部１２を覆い、切覆蔽部２６が切操作部１３を覆っているため、両操作部１２，１３を操作できない。なお、接地ピン１９は長孔２１の下端に当接している。
【００２７】
つぎに、接地開閉器軸１７を入に操作する場合は、図３に示す蓄勢ばねが放勢されて蓄勢レバー３が放勢位置にあり、主軸１が切の状態において、シャッタ板２０を時計方向に回転し、ハンドル挿入口２３を図５に示すように、接地開閉器軸１７の上方に位置させ、ハンドルを挿入して接地開閉器軸１７を時計方向に回転し、接地開閉器を入にする。
【００２８】
この接地開閉器の入の時、蓄勢操作軸１５が蓄勢覆蔽部２７により覆われ、接地ピン１９が分岐孔２２の先端に位置しているため、ハンドルを取り除いたあともシャッタ板２０を時計方向に回転できず、ハンドル挿入口２３を蓄勢操作軸１５の位置まで移動できず、蓄勢操作軸１５の操作が阻止され、操作ばねの蓄勢が防止される。
【００２９】
【発明の効果】
本発明は、以上説明したように構成されているので、以下の記載する効果を奏する。
蓄勢レバー３及び接地レバー１６にそれぞれ蓄勢ピン１８及び接地ピン１９が突設され、主軸１にシャッタ板２０が回転自在に支持され、そのシャッタ板２０に長孔２１，分岐孔２２及びハンドル挿入口２３が形成されているため、蓄勢レバー３が蓄勢完了位置にある時、蓄勢ピン１８が長孔２１の上端に当接し、ハンドル挿入口２３を接地開閉器軸１７を操作できる位置まで移動することができず、接地開閉器の操作を防止でき、また、操作ばねを蓄勢中は、シャッタ板２０が入操作部１２及び切操作部１３を覆っているため、両操作部１２，１３の操作ができず、主回路の入，切を防止でき、さらに、接地開閉器を入にした時、接地ピン１９が分岐孔２２の先端に当接し、蓄勢操作軸１５がシャッタ板２０により覆われたままで、ハンドル挿入口２３を蓄勢操作軸１５を操作できる位置まで移動することができず、蓄勢操作軸１５の操作を防止でき、事故の発生を防止することができ、しかも構成が主としてシャッタ板２０のみであり、部品点数が少なく、構成が簡単であり、小スペースにすることができ、安価にすることができる。
【図面の簡単な説明】
【図１】本発明の実施の１形態の蓄勢完了状態図である。
【図２】図１の主回路の入状態図である。
【図３】図１の放勢・切状態図である。
【図４】図１の蓄勢中の状態図である。
【図５】図１の接地開閉器の入状態図である。
【図６】図１の分解図であり、Ａは主軸レバー、Ｂは蓄勢レバー、Ｃは蓄勢カム、Ｄは接地レバー、Ｅはシャッタ板である。
【図７】結線図である。
【図８】従来例の図である。
【符号の説明】
１  主軸
２  主軸レバー
３  蓄勢レバー
１２  入操作部
１３  切操作部
１４  蓄勢カム
１５  蓄勢操作軸
１６  接地レバー
１７  接地開閉器軸
１８  蓄勢ピン
１９  接地ピン
２０  シャッタ板
２１  長孔
２２  分岐孔
２３  ハンドル挿入口
【図１】
0003738554.tif 000002
【図２】
0003738554.tif 000003
【図３】
0003738554.tif 000004
【図４】
0003738554.tif 000005
【図５】
0003738554.tif 000006
【図６】
0003738554.tif 000007
【図７】
0003738554.tif 000008
【図８】
0003738554.tif 000009